(57)【要約】【課題】水中ポンプを陸上に配設し搬送流体中に没入した吸込管を経て流体を吸引加圧して所定位置に搬送する水中ポンプによる簡易型流体搬送工法およびその装置を提供する。【解決手段】濁水・ヘドロ・流動性産業廃棄物等の流体をポンプで吸引加圧して搬送する簡易型流体搬送装置である。簡易型流体搬送装置は、少なくともポンプ部をハウジングで覆い陸上に配設した水中ポンプと、一端部に逆止弁を取着し、かつ他端部をハウジングに接続した吸込ホースと、ハウジングおよび吸込ホースの内部に流体を供給する流体供給バルブとからなる。【選択図】　　　　図１
2004092538.tif 000002
【特許請求の範囲】
【請求項１】
流体をポンプで吸引加圧して搬送する簡易型流体搬送工法であって、
少なくとも水中ポンプのポンプ部をハウジングで覆って陸上に配設し流体を搬送することを特徴とする水中ポンプによる簡易型流体搬送工法。
【請求項２】
請求項１記載の水中ポンプによる簡易型流体搬送工法において、
一端部に逆止弁を取着し、かつ他端部をハウジングに接続した吸込ホースを設け、ハウジングおよび吸込ホースの内部を流体で充満した後に水中ポンプで流体を搬送することを特徴とする水中ポンプによる簡易型流体搬送工法。
【請求項３】
請求項１記載の水中ポンプによる簡易型流体搬送工法において、
流体の中に没入させた水中ポンプでハウジングの内部に流体を充満させるとともに、陸上に配設した水中ポンプで吸引加圧して流体を搬送することを特徴とする水中ポンプによる簡易型流体搬送工法。
【請求項４】
請求項１乃至請求項３記載の水中ポンプによる簡易型流体搬送工法において、
複数の水中ポンプを陸上に直列に配設し、順次吸引加圧して流体を長距離および高揚程に搬送することを特徴とする水中ポンプによる簡易型流体搬送工法。
【請求項５】
流体をポンプで吸引加圧して搬送する簡易型流体搬送装置であって、
少なくともポンプ部をハウジングで覆い陸上に配設した水中ポンプと、
一端部に逆止弁を取着し、かつ他端部をハウジングに接続した吸込ホースと、
ハウジングおよび吸込ホースの内部に流体を供給する流体供給バルブとからなることを特徴とする水中ポンプによる簡易型流体搬送装置。
【請求項６】
流体をポンプで吸引加圧して搬送する簡易型流体搬送装置であって、
少なくともポンプ部をハウジングで覆い陸上に配設した水中ポンプと、
流体の中に没入させ前記ハウジングの内部に流体を吐出する水中ポンプとからなることを特徴とする水中ポンプによる簡易型流体搬送装置。
【発明の詳細な説明】
【０００１】
【発明の属する技術分野】
本発明は、水中ポンプによる簡易型流体搬送工法およびその装置に係り、特に、少なくともポンプ部をハウジングで覆い陸上に配設した水中ポンプで流体を吸引して搬送する簡易型吸引工法およびその装置に関する。
【０００２】
【従来の技術】
従来、各種掘削時の濁水・ヘドロ・流動性産業廃棄物等の流体を吸引し搬送する場合には真空ポンプを用いることが一般的な工法として行なわれている。
また、水中ポンプを湖沼および川等に溜まった濁水の中に没入して濁水を吸引し、湖沼および川等の濁水を減じることが一般的に行なわれている。
更にダム等に堆積された土砂等が浚渫船、排砂用ゲートあるいはサイホン作用により配管で搬出することが行なわれている。
【０００３】
その一例として、特開２０００−１２００５０号公報にサイホン方式を用いた水底堆砂排出方法が提案されている。同公報によると、排砂管の一端の吸引管を水底に開口し、他端の放水管を下流の放水路に開口し、排砂管のサイホン作用により水底の水と堆砂を汲み上げ、放水路に放流する。
この場合に、堆砂排出方法は排砂管内に渦流を発生させ、この渦流による遠心分離作用で空気を管内の中心部に、排砂中の礫を管内円周部へ分布させて堆砂を排出することが記載されている。
【０００４】
【発明が解決しようとする課題】
しかしながら、上記のように真空ポンプを用いる場合には、真空により流体を吸引し搬送するために振動および騒音が大きくなる。また、真空ポンプを用いると装置のシステムが大型で複雑になり、必然的に占有面積が大きくなる。
また、設備費も嵩み装置のコストが高くなるという多くの問題がある。
特開２０００−１２００５０号公報のサイホン方式を用いた水底堆砂排出方法の場合には、流体を高い揚程に搬送できず、また遠方に搬送できないという問題がある。
【０００５】
本発明は上記の問題点に着目してなされたもので、水中ポンプによる簡易型流体搬送工法およびその装置に係り、特に、水中ポンプを陸上に配設し搬送流体中に没入した吸込管を経て流体を吸引加圧して所定位置に搬送する水中ポンプによる簡易型流体搬送工法およびその装置を提供することを目的とする。
【０００６】
【課題を解決するための手段、作用及び効果】
上記目的を達成するために、本発明に係る水中ポンプによる簡易型流体搬送工法は、少なくとも水中ポンプのポンプ部をハウジングで覆って陸上に配設し流体を搬送するようにしている。
この場合に一端部に逆止弁を取着し、かつ他端部をハウジングに接続した吸込ホースを設け、ハウジングおよび吸込ホースの内部を流体で充満した後に水中ポンプで流体を搬送するようにしている。
または、流体の中に没入させた水中ポンプでハウジングの内部に流体を充満させるとともに、陸上に配設した水中ポンプで吸引加圧して流体を搬送するようにしている。
また、複数の水中ポンプを陸上に直列に配設し、順次吸引加圧して流体を長距離および高揚程に搬送すると良い。
【０００７】
本発明に係る水中ポンプによる簡易型流体搬送装置は、流体をポンプで吸引加圧して搬送する簡易型流体搬送装置であって、少なくともポンプ部をハウジングで覆い陸上に配設した水中ポンプと、一端部に逆止弁を取着し、かつ他端部をハウジングに接続した吸込ホースと、ハウジングおよび吸込ホースの内部に流体を供給する流体供給バルブとからなる構成としている。
【０００８】
または、簡易型流体搬送装置は、流体をポンプで吸引加圧して搬送する簡易型流体搬送装置であって、少なくともポンプ部をハウジングで覆い陸上に配設した水中ポンプと、流体の中に没入させ前記ハウジングの内部に流体を吐出する水中ポンプとからなる構成としている。
【０００９】
上記の簡易型流体搬送工法によれば、少なくとも水中ポンプのポンプ部をハウジングで覆うとともに、水中ポンプを陸上に配設して流体を搬送するために、真空ポンプの代替ができて、振動および騒音を殆ど生ずることがなく、簡単な構成で、場積を少なくして流体を高揚程で長距離間搬送することができる。
また、市販の水中ポンプが用いることができるため、コストを大幅に低減できる。また水中ポンプを陸上に配設しているため、メンテナンスが容易になり、メンテナンス工数を低減できる。
【００１０】
簡易型流体搬送装置が、一端部に逆止弁を取着し、かつ他端部をハウジングに接続した吸込ホースを設け、ハウジングおよび吸込ホースの内部を流体で充満した後に水中ポンプで流体を搬送するため、キャビテーションの発生を防止できるとともに、サイホンの原理を用いているため、高揚程で長距離間搬送することができる。
または、搬送流体の中に没入させた水中ポンプと、陸上に配設した水中ポンプとを併用して吸引加圧して流体を搬送するために、空気抜きの作業が容易になるとともにキャビテーションを防止できる。また、ヘドロあるいは流動性産業廃棄物等の粘度の高い流体を高揚程で長距離間の搬送することができる。
【００１１】
複数の水中ポンプを所定間隔離間して陸上に配設し、順次吸引加圧を繰り返して流体を搬送するため、簡単な構成で、高い粘度の流体を高揚程で長距離間搬送することができる。
また、多種類、多機種の水中ポンプに密閉型のハウジングに取り付けることにより、真空ポンプの代替が可能になり、振動、騒音が低減できる。また、密閉型のハウジングに取り付けることにより水中ポンプは大容量の搬送流量を得ることが出来るとともに、作業を短縮できて作業工数を低減できる。
【００１２】
【発明の実施の形態】
以下、本発明に係る水中ポンプによる簡易型流体搬送工法およびその装置の実施例について図面を参照して説明する。なお、以下では、他の実施例と同一部品には同一符号を付して説明は省略する。
先ず、第１実施例の水中ポンプによる簡易型流体搬送工法およびその装置について、図１、図２を用いて説明する。図１は第１実施例の逆止弁付ブーツジョイント方式（仮称）簡易型搬送装置１の構成概念図、図２は逆止弁付ブーツジョイント方式（仮称）簡易型搬送装置１の一部を断面で示す構成図、図３はハウジングの外観斜視図である。
【００１３】
図１、図２において、逆止弁付きブーツジョイント方式（仮称）簡易型搬送装置１（以下、逆止弁付簡易型搬送装置１という）は、一部を搬送流体Ｗａの中に没入された逆止弁付ホース部３と、逆止弁付ホース部３に接続され搬送流体Ｗａを吸引し吐出する水中ポンプ部５と、吐出配管部７とからなっている。搬送流体Ｗａは、図１に示すように濁水Ｗｂ、ヘドロＷｃ、あるいは流動性産業廃棄物等の流体を指す。
図１において、簡易型搬送装置１は、水中ポンプ部５が第１水中ポンプ部５Ａ、第２水中ポンプ部５Ｂ、・・・を順次直列に接続して揚程を高めた例を示しており、この水中ポンプ部５は揚程および搬送距離に合わせて１個でも良くあるいは、２個以上用いても良い。
【００１４】
逆止弁付ホース部３は、搬送流体Ｗａの中に没入された逆止弁１１と、一端部が逆止弁１１に、他端部が陸上に配設された水中ポンプ部５に接続された吸込ホース１３と、吸込ホース１３を逆止弁１１あるいは水中ポンプ部５に取着するジョイント１５とからなっている。
逆止弁１１は、図２に示すように、逆止弁本体１１ａと、逆止弁本体１１ａに摺動自在に枢密に挿入されたチェック弁１１ｂと、チェック弁１１ｂを逆止弁本体１１ａに押圧して漏れを防止する弱い力のばね１１ｃとからなっている。
【００１５】
逆止弁１１は吸込ホース１３の内部に吸引された搬送流体Ｗａが逆流するのを防止するとともに、作業開始時に吸込ホース１３および水中ポンプ部５の内部に供給された水、水道水あるいは濁水等の流体が搬送流体Ｗａに流れ出るのを防止している。逆止弁１１は、搬送流体Ｗａおよび流体がチェック弁１１ｂの中を流れる直列の型式でも良く、また回動弁等の構造を用いても良い。
吸込ホース１３は、ゴムホースあるいはビニール管等の可撓管を用いている。
【００１６】
水中ポンプ部５は、水中ポンプ２１と、ハウジング２３と、流体供給バルブ２５とからなっている。水中ポンプ２１はポンプ部２１ａと電動機部２１ｂとからなっている。
ポンプ部２１ａにはポンプ２２ａが内蔵されており、ポンプ２２ａがハウジング２３の内部の搬送流体Ｗａを吸引加圧して吐出配管部７に吐出している。
電動機部２１ｂには電動機２２ｂが内蔵されており、図１に示すコード２１ｃにより外部より電力を受けてポンプ２２ａを駆動している。この水中ポンプ２１は、例えば市販の水中ポンプが用いられている。
【００１７】
ハウジング２３は、図３に示すように、ゴム部２３ａと、バンド部２３ｂと、パイプ部２３ｃとからなっている。ゴム部２３ａは伸縮自在のゴムにより形成されており、ハウジング２３の内部に外気が入るのを阻止している。ゴム部２３ａは水中ポンプ２１の電動機部２１ｂに装着されて、ハウジング２３を水中ポンプ２１に取着している。
パイプ部２３ｃは、一端部がゴム部２３ａとともに水中ポンプ２１の外形部にバンド部２３ｂで締められて取着されている。パイプ部２３ｃの他端部にはカラー２３ｄが設けられており、ジョイント１５により吸込ホース１３に接続されている。ハウジング２３のパイプ部２３ｃは、水中ポンプ部２１ａを覆うとともに、吸込ホース１３より搬送流体Ｗａを受けて収容し、ポンプ２２ａにより吸引させている。バンド部２３ｂは、例えばゴムとクランプにより形成し、ゴムをパイプ部２３ｃに当接させ、クランプで締め付けることによりパイプ部２３ｃとゴム部２３ａとを水中ポンプ２１の外形部に固着している。なお、ハウジング部材は密封機能を確保でき、上記機能を出せばゴム以外の部材でも可能である。
【００１８】
流体供給バルブ２５は、例えば２位置切換弁よりなり、パイプ部２３ｃに取着されている。流体供給バルブ２５は外部の流体供給管２６に接続されるとともに作業開始時には手動で切換えられる。流体供給バルブ２５は、作業開始時で水中ポンプ２１を駆動する前に、作業現場に合わせて水、水道水、あるいは濁水等の流体を吸込ホース１３およびパイプ部２３ｃの内部に供給し充満させている。
この流体供給バルブ２５には流体供給時に吸込ホース１３およびパイプ部２３ｃの内部の空気を排出するポートを設けると良い。また、流体供給バルブ２５はカプラ（ワンタッチ式流体継手）の一端部を装着して、カプラ付きゴムホースを取着することにより開口するようにしても良い。
【００１９】
吐出配管部７はゴムホースあるいはビニール管等の可撓管により形成されており、水中ポンプ２１の吐出配管２１ｄにジョイント１５で接続されている。吐出配管部７は水中ポンプ２１により加圧された搬送流体Ｗａを所定位置に搬送している。
本実施例の吐出配管部７は、図１に示すように、第２水中ポンプ部５Ｂに接続されており、第１水中ポンプ部５Ａの水中ポンプ２１により加圧されるとともに、第２水中ポンプ部５Ｂの水中ポンプ２１で吸引された搬送流体Ｗａを搬送している。
【００２０】
上記構成において、次に作動について説明する。図１、図２において、逆止弁付簡易型搬送装置１は、逆止弁１１が取着されている吸込ホース１３の一端部が搬送流体Ｗａの中に投入される。
次に、陸上Ｇｄに配設されている水中ポンプ部５の流体供給バルブ２５より流体を供給し、吸込ホース１３およびパイプ部２３ｃの内部に残存している空気が流体に置換され、内部を流体で充満する。このとき流体供給バルブ２５より供給された流体は逆止弁１１により漏れが防止され、吸込ホース１３およびパイプ部２３ｃの内部が流体で充満される。
【００２１】
内部が流体で充満された時点で流体供給バルブ２５が閉められる。この内部が流体で充満された時点は流体供給バルブ２５より流体が排出されることにより確認することが出来る。
流体供給バルブ２５を閉めたら、逆止弁付簡易型搬送装置１の図示しないスイッチを入れて電動機２２ｂを駆動する。電動機２２ｂの駆動に伴い水中ポンプが回転して搬送流体Ｗａを吸引するとともに、加圧して吐出配管部７に吐出する。このとき、流体が充満された吸込ホース１３からサイホンの原理により流体あるいは流体と搬送流体Ｗａがキャビテーションを発生することがなく水中ポンプ２１の吸引により流れる。
【００２２】
吐出配管部７に吐出された流体あるいは流体と搬送流体Ｗａは、第２水中ポンプ部５Ｂに向けて搬送される。このとき第２水中ポンプ部５Ｂでは流体供給バルブ２５を開口しておき、吐出配管部７および第２水中ポンプ部５Ｂのパイプ部２３ｃの内部が流体あるいは流体と搬送流体Ｗａで充満されたときに流体供給バルブ２５を閉止するとともに、第２水中ポンプ部５Ｂ用のスイッチを入れる。
これにより、第２水中ポンプ部５Ｂは、第１水中ポンプ部５Ａにより加圧された搬送流体Ｗａを水中ポンプ２１で吸引加圧して吐出配管部７に吐出している。
この手順を順次繰り返すことにより、搬送流体Ｗａはヘドロあるいは流動性産業廃棄物等の粘度の高い流体でも長距離および高揚程の搬送が可能になっている。
【００２３】
なお、第１水中ポンプ部５Ａは、第２水中ポンプ部５Ｂと同じ構造で形成して図示しているが、第２水中ポンプ部５Ｂは流体供給バルブ２５を省略しても良い。この場合に、第２水中ポンプ部５Ｂは、第１水中ポンプ部５Ａの水中ポンプ２１により搬送された搬送流体Ｗａを吸引するようにしても良く、また吐出配管部７が搬送流体Ｗａで充満された頃合に第２水中ポンプ部５Ｂを起動するようにしても良い。
【００２４】
次に、第２実施例のブーツジョイント方式簡易型搬送装置１Ａについて図４を用いて説明する。図４はブーツジョイント方式簡易型搬送装置１Ａの構成概念図である。
上記の第１実施例では、逆止弁付簡易型搬送装置１は、逆止弁１１が取着された吸込ホース１３の一部が搬送流体Ｗａの中に投入されており、搬送流体Ｗａを吸引している。
これに対して、第２実施形態では、ブーツジョイント方式簡易型搬送装置１Ａは、逆止弁１１の替りに水中第１ポンプ２１Ａが取着されており、水中第１ポンプ２１Ａが搬送流体Ｗａの中に没入されている。なお、水中第１ポンプ２１Ａは、水中ポンプ２１と同じであるが、区別するために名称を変更している。
【００２５】
上記構成において、次に作動について説明する。図４において、ブーツジョイント方式簡易型搬送装置１Ａは、水中第１ポンプ２１Ａおよび水中第１ポンプ２１Ａが取着されている吐出配管部７の一端部が搬送流体Ｗａの中に没入される。
次に、水中第１ポンプ２１Ａの陸上Ｇｄに配設されている図示しないスイッチが入れられ、水中第１ポンプ２１Ａの電動機２２ｂが駆動される。電動機２２ｂの駆動に伴い水中第１ポンプ２１Ａが作動し、ポンプ２２ａが回転して吸込ホース１３を介して搬送流体Ｗａを吸引するとともに、加圧して吐出配管部７に吐出する。
【００２６】
吐出配管部７に吐出された搬送流体Ｗａは、第１水中ポンプ部５Ａに向けて搬送される。このとき第１水中ポンプ部５Ａでは流体供給バルブ２５を開口しておき、吐出配管部７および第１水中ポンプ部５Ａのパイプ部２３ｃの内部が搬送流体Ｗａで充満されたときに流体供給バルブ２５を閉止するとともに、第１水中ポンプ部５Ａ用のスイッチを入れる。
この結果、第１実施例と同様に、搬送流体Ｗａは、長距離および高揚程の搬送が可能になっている。
また、第１水中ポンプ部５Ａは流体供給バルブ２５の替りに後述するドレンコック３３を装着しても良く、また両者を併用しても良い。また第１実施例と同様に省略しても良い。
【００２７】
次に、第３実施例のタンクジョイント方式簡易型搬送装置１Ｂについて、図５、図６を用いて説明する。図５はタンクジョイント方式簡易型搬送装置１Ｂの構成概念図、図６は第３水中ポンプ部３０の外観斜視図である。
上記の第１実施例および第２実施例では、水中ポンプ部５は水中ポンプ２１がハウジング２３に覆われて陸上Ｇｄに配設されている。
これに対して、第３実施例では、タンクジョイント方式簡易型搬送装置１Ｂは第３水中ポンプ部３０の水中ポンプ２１がハウジングであるタンク３１に収容されており、第３水中ポンプ部３０が陸上に配設されている。
【００２８】
第３水中ポンプ部３０は、タンク３１と、水中ポンプ２１と、ドレンコック３３とからなっている。タンク３１は、図６に示すように、チャンバー部３１ａと、キャップ部３１ｂとからなっている。チャンバー部３１ａおよびキャップ部３１ｂは板金製により形成されており、パッキンが挿入されてボルトにより結合される。
キャップ部３１ｂは凹部形状よりなり、その開口部がパッキンを介してチャンバー部３１ａに挿入されるとともに固着されている。チャンバー部３１ａとキャップ部３１ｂとは、パッキン、シールが用いられて密封されてハウジングを形成している。
【００２９】
タンク３１は少なくとも水中ポンプ部５が空間を有して収容されるためのブラケット３１ｃが設けられており、タンク３１はハウジングとして水中ポンプ部５が内部に収容された搬送流体Ｗａを吸引可能にしている。
タンク３１の吸込み口３１ｄは水中第１ポンプ２１Ａの吐出配管２１ｄに吐出配管部７により接続されている。タンク３１のキャップ部３１ｂには吐出用孔３１ｅがあけられており、吐出配管部７がシールにより密封されて挿入されている。吐出配管部７はキャップ部３１ｂを貫通した後に、タンク３１に収容された水中第１ポンプ２１Ａの吐出配管２１ｄに接続されている。
【００３０】
ドレンコック３３は、キャップ部３１ｂに取着されており、作業開始時にドレンコック３３を手動で開口した後に、搬送流体Ｗａの中に没入された水中第１ポンプ２１Ａを駆動して搬送流体Ｗａをタンク３１の内部に供給することによりタンク３１の内部の空気を排出させている。ドレンコック３３はタンク３１の中が搬送流体Ｗａで充満されたら閉じられる。
タンク３１は陸上Ｇｄに配設されており、電動機２２ｂのコード２１ｃがスイッチを経て電源に接続されている。
【００３１】
図５、図６において、タンクジョイント方式簡易型搬送装置１Ｂは、作業開始時にドレンコック３３を手動で開口した後に、水中第１ポンプ２１Ａを駆動して搬送流体Ｗａをタンク３１の内部に供給しながらタンク３１の内部の空気を排出させてタンク３１の中を搬送流体Ｗａで充満する。
タンク３１が搬送流体Ｗａで充満したらドレンコック３３を閉じるとともに、タンク３１内の水中ポンプ２１が駆動されて搬送流体Ｗａを吸引加圧して吐出配管部７に吐出される。このように搬送流体Ｗａが順次タンク３１を経て水中ポンプ２１により吸引されるとともに、加圧されて搬送される。
この結果、第２実施例と同様に、搬送流体Ｗａは、長距離・高揚程の搬送が可能になっている。
また、第２実施例と同様に、第１水中ポンプ部５Ａは流体供給バルブ２５、ドレンコック３３を用いるようにすると良い。
【００３２】
図７は他の実施例である第４水中ポンプ部４０を示している。図７において、第４水中ポンプ部４０は、ノッチタンク４１と、水中ポンプ２１と、鋼製フランジ４３とからなっている。
ノッチタンク４１は、図７に示すように、チャンバー部４１ａと、キャップ部４１ｂとからなっている。チャンバー部４１ａは、塩ビ管により形成される。
キャップ部４１ｂは凹部形状よりなり、その開口部がチャンバー部４１ａに挿入されるとともに固着されて、チャンバー部４１ａとキャップ部４１ｂとで凹部形状のハウジングを形成している。ノッチタンク４１はハウジングとして水中ポンプ部５が内部に収容された搬送流体Ｗａを吸引可能にしている。
【００３３】
ノッチタンク４１には水中ポンプ２１が収容されており、ノッチタンク４１のチャンバー部４１ａが水中ポンプ２１の電動機部２１ｂの上方にエポシキ樹脂部材４５で密封されるとともに固定されている。また、ノッチタンク４１のチャンバー部４１ａは水中ポンプ２１の電動機部２１ｂの下方で、内周囲の一部が電動機部２１ｂの外形部に固定用エポシキ樹脂部材４７で固定されている。
ノッチタンク４１のキャップ部４１ｂは、水中ポンプ２１のポンプ部２１ａを覆っており、内部に搬送流体Ｗａを収容して吸引を可能にしている。
【００３４】
鋼製フランジ４３はノッチタンク４１のキャップ部４１ｂの孔４１ｃに挿入されて取着されている。鋼製フランジ４３は吐出配管７あるいは吸込ホース１３に接続されており、吐出配管７は搬送流体Ｗａの中に没入されている水中第１ポンプ２１Ａに連結されている。
ノッチタンク４１は、鋼製フランジ４３が水中第１ポンプ２１Ａの吐出配管７に接続されている場合にはドレンコック３３で内部の空気を除去し、また逆止弁１１に接続されている場合には流体供給バルブ２５により流体が満たされるとともに空気を除去すると良い。
【００３５】
上記実施例では、第１実施例で逆止弁１１を用いた逆止弁付きブーツジョイント方式を、また第２実施例で水中第１ポンプ２１Ａに接続されたブーツジョイント方式を、更に第３実施例で水中ポンプ２１を収容したタンクジョイント方式を説明したが、この実施例を適宜組み替えて用いても良い。
例えば、第３実施例ではタンクジョイント方式（仮称）簡易型搬送装置１Ｂに水中ポンプ２１をタンク３１内に収容するとともに搬送流体Ｗａ内の水中第１ポンプ２１Ａに接続したが、搬送流体Ｗａ内に投入した逆止弁１１に吸込ホース１３を用いて接続しても良い。
【図面の簡単な説明】
【図１】本発明に係る第１実施例の逆止弁付ブーツジョイント方式（仮称）簡易型搬送装置の構成概念図である。
【図２】図１の簡易型搬送装置の一部を断面で示す構成図である。
【図３】ハウジングの外観斜視図である。
【図４】本発明に係る第２実施例のブーツジョイント方式簡易型搬送装置の構成概念図である。
【図５】本発明に係る第３実施形態であるタンクジョイント方式簡易型搬送装置の構成概念図である。
【図６】本発明に係る第３実施例の第３水中ポンプ部の外観斜視図である。
【図７】本発明に係る第４水中ポンプ部の断面図である。
【符号の説明】
１・・・逆止弁付きブーツジョイント方式（仮称）簡易型搬送装置
１Ａ・・・ブーツジョイント方式簡易型搬送装置
１Ｂ・・・タンクジョイント方式簡易型搬送装置
３・・・逆止弁付ホース部　５・・・水中ポンプ部　７・・・吐出配管部
１１・・・逆止弁　１３・・・吸込ホース　１５・・・ジョイント
２１、２１Ａ・・・水中ポンプ　２１ａ・・・ポンプ部　２１ｂ・・・電動機部
２３・・・ハウジング　２５・・・流体供給バルブ
３０・・・第３水中ポンプ部　３１・・・タンク　３３・・・ドレンコック
４０・・・第４水中ポンプ部　４１・・・ノッチタンク
Ｗａ・・・搬送流体（流体）　Ｇｄ・・・陸地
【図１】
2004092538.tif 000003
【図２】
2004092538.tif 000004
【図３】
2004092538.tif 000005
【図４】
2004092538.tif 000006
【図５】
2004092538.tif 000007
【図６】
2004092538.tif 000008
【図７】
2004092538.tif 000009